【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
電池からの供給電力により被印刷媒体に印刷を行う印刷部と、
前記印刷部を制御し、外部端末と通信により接続可能とされている制御回路と、
を備え、
前記制御回路は、
前記被印刷媒体に印刷する第１印刷内容の情報を示す第１印刷データを前記外部端末から取得し、
前記取得した前記第１印刷データと前記電池の電池残量とに基づいて、前記第１印刷内容における印刷可能範囲を推定し、
前記推定された前記第１印刷内容における前記印刷可能範囲に応じて、前記印刷可能範囲を示す情報の前記外部端末への送信の有無を制御する、
ことを特徴とする印刷装置。
【請求項２】
前記制御回路は、
前記被印刷媒体に印刷する第１印刷内容の情報を示す第１印刷データを前記外部端末から前記通信により取得し、
前記通信により取得した前記第１印刷データと前記電池の電池残量とに基づいて、前記第１印刷内容における印刷可能範囲を推定する、
ことを特徴とする印刷装置。
【請求項３】
請求項１又は２に記載の印刷装置であって、
前記制御回路は、
前記印刷可能範囲に前記第１印刷内容の全体が含まれていない場合に、前記印刷可能範囲を示す情報を前記外部端末へ前記通信により送信する、
ことを特徴とする印刷装置。
【請求項４】
請求項１乃至請求項３のいずれか一項に記載の印刷装置であって、
前記第１印刷内容の情報は、前記印刷部により前記被印刷媒体に印刷することにより形成される個片のラベルの枚数の情報を含み、
前記印刷可能範囲を示す情報は、前記印刷部により印刷可能な前記ラベルの枚数の情報を含む、
ことを特徴とする印刷装置。
【請求項５】
請求項１乃至請求項４のいずれか一項に記載の印刷装置であって、
前記制御回路は、
前記印刷可能範囲に前記第１印刷内容の全体が含まれているとき、前記被印刷媒体に前記第１印刷内容の印刷を行うように前記印刷部を制御する、
ことを特徴とする印刷装置。
【請求項６】
請求項３に記載の印刷装置であって、
前記制御回路は、
前記印刷可能範囲を示す情報を前記外部端末へ前記通信により送信した後、印刷の終了を指示する終了通知を前記外部端末から前記通信により受信したとき、前記印刷部による印刷を終了させ、
前記印刷可能範囲を示す情報を前記外部端末へ前記通信により送信した後、第２印刷内容の情報を示す第２印刷データを前記通信により受信したとき、前記受信した前記第２印刷データと前記電池の電池残量とに基づいて、前記第２印刷内容における印刷可能範囲を推定し、前記推定された前記第１印刷内容における前記印刷可能範囲に応じて、前記印刷可能範囲を示す情報を前記外部端末へ前記通信により送信する、
ことを特徴とする印刷装置。
【請求項７】
請求項６に記載の印刷装置であって、
前記制御回路は、
前記印刷可能範囲に前記第２印刷内容の全体が含まれていない場合に、前記印刷可能範囲を示す情報を前記外部端末へ前記通信により送信する、
ことを特徴とする印刷装置。
【請求項８】
請求項６又は７に記載の印刷装置であって、
前記制御回路は、
前記第２印刷内容における印刷可能範囲を算出した後、前記印刷可能範囲が前記第２印刷内容の全体を含んでいるとき、前記被印刷媒体に前記第２印刷内容の印刷を行うように前記印刷部を制御する、
ことを特徴とする印刷装置。
【請求項９】
電池からの供給電力により被印刷媒体に印刷を行う印刷装置と通信により接続されて、前記印刷装置を制御する制御回路と、
表示部と、
を備え、
前記制御回路は、
前記被印刷媒体に印刷する第１印刷内容の情報を示す第１印刷データを前記印刷装置へ前記通信により送信し、
送信した前記第１印刷データと前記電池の電池残量とに基づいて前記印刷装置において推定された、前記第１印刷内容における印刷可能範囲を示す情報を前記印刷装置から前記通信により受信し、
受信した前記印刷可能範囲を示す情報を前記表示部に表示する、
ことを特徴とする印刷制御端末。
【請求項１０】
請求項９に記載の印刷制御端末であって、
前記制御回路は、
前記印刷可能範囲を示す情報を前記印刷装置から受信した後に、前記第１印刷データの変更を受け付けた場合には、変更後の第２印刷データを、再度、前記印刷装置へ送信する、
ことを特徴とする印刷制御端末。
【請求項１１】
印刷装置の制御方法であって、
前記印刷装置は、電池からの供給電力により被印刷媒体に印刷を行う印刷部と、前記印刷部を制御し、外部端末と通信により接続可能とされている制御回路と、を備え、
前記制御方法は、
前記被印刷媒体に印刷する第１印刷内容の情報を示す第１印刷データを前記外部端末から取得し、
前記取得した前記第１印刷データと前記電池の電池残量とに基づいて、前記第１印刷内容における印刷可能範囲を推定し、
前記推定された前記第１印刷内容における前記印刷可能範囲に応じて、前記印刷可能範囲を示す情報の前記外部端末への送信の有無を制御する、
ことを特徴とする印刷装置の制御方法。
【請求項１２】
印刷装置を制御するコンピュータに実行させるプログラムであって、
前記印刷装置は、電池からの供給電力により被印刷媒体に印刷を行う印刷部と、前記印刷部を制御し、外部端末と通信により接続可能とされている制御回路と、を備え、
前記コンピュータに、
前記制御回路により、前記被印刷媒体に印刷する第１印刷内容の情報を示す第１印刷データを前記外部端末から取得させ、
前記取得した前記第１印刷データと前記電池の電池残量とに基づいて、前記第１印刷内容における印刷可能範囲を推定させ、
前記推定された前記第１印刷内容における前記印刷可能範囲に応じて、前記制御回路により、前記印刷可能範囲を示す情報の前記外部端末への送信の有無を制御させる、
ことを特徴とするプログラム。
【手続補正２】
【補正対象書類名】明細書
【補正対象項目名】０００７
【補正方法】変更
【補正の内容】
【０００７】
本発明の一態様に係る印刷装置は、電池からの供給電力により被印刷媒体に印刷を行う印刷部と、前記印刷部を制御し、外部端末と通信により接続可能とされている制御回路と、を備え、前記制御回路は、前記被印刷媒体に印刷する第１印刷内容の情報を示す第１印刷データを前記外部端末から取得し、前記取得した前記第１印刷データと前記電池の電池残量とに基づいて、前記第１印刷内容における印刷可能範囲を推定し、前記推定された前記第１印刷内容における前記印刷可能範囲に応じて、前記印刷可能範囲を示す情報の前記外部端末への送信の有無を制御する。
【手続補正３】
【補正対象書類名】明細書
【補正対象項目名】０００８
【補正方法】変更
【補正の内容】
【０００８】
本発明の一態様に係る印刷制御端末は、電池からの供給電力により被印刷媒体に印刷を行う印刷装置と通信により接続されて、前記印刷装置を制御する制御回路と、表示部と、を備え、前記制御回路は、前記被印刷媒体に印刷する第１印刷内容の情報を示す第１印刷データを前記印刷装置へ前記通信により送信し、送信した前記印刷データと前記電池の電池残量とに基づいて前記印刷装置において推定された、前記第１印刷内容における印刷可能範囲を示す情報を前記印刷装置から前記通信により受信し、受信した前記印刷可能範囲を示す情報を前記表示部に表示する。
【手続補正４】
【補正対象書類名】明細書
【補正対象項目名】０００９
【補正方法】変更
【補正の内容】
【０００９】
本発明の一態様に係る印刷装置の制御方法は、前記印刷装置は、電池からの供給電力により被印刷媒体に印刷を行う印刷部と、前記印刷部を制御し、外部端末と通信により接続可能とされている制御回路と、を備え、前記制御方法は、前記被印刷媒体に印刷する第１印刷内容の情報を示す第１印刷データを前記外部端末から取得し、前記取得した前記第１印刷データと前記電池の電池残量とに基づいて、前記第１印刷内容における印刷可能範囲を推定し、前記推定された前記第１印刷内容における前記印刷可能範囲に応じて、前記印刷可能範囲を示す情報の前記外部端末への送信の有無を制御する。
【手続補正５】
【補正対象書類名】明細書
【補正対象項目名】００１０
【補正方法】変更
【補正の内容】
【００１０】
本発明の一態様に係るプログラムは、印刷装置を制御するコンピュータに実行させるプログラムであって、前記印刷装置は、電池からの供給電力により被印刷媒体に印刷を行う印刷部と、前記印刷部を制御し、外部端末と通信により接続可能とされている制御回路と、を備え、前記コンピュータに、前記制御回路により、前記被印刷媒体に印刷する第１印刷内容の情報を示す第１印刷データを前記外部端末から取得させ、前記取得した前記第１印刷データと前記電池の電池残量とに基づいて、前記第１印刷内容における印刷可能範囲を推定させ、前記推定された前記第１印刷内容における前記印刷可能範囲に応じて、前記制御回路により、前記印刷可能範囲を示す情報の前記外部端末への送信の有無を制御させる。